(57)【特許請求の範囲】
【請求項１】
壁面に設置される保水マットと、
上記保水マットの裏面と上記壁面との間であって、上記保水マットの表面側に露出しない位置に配置されて、上記保水マットに水を供給する潅水管と、
上記保水マットの表面に配置されて、緑化用の土壌が吹き付けられる土壌保持材と
を備えることを特徴とする壁面緑化パネル。
【請求項２】
請求項１に記載の壁面緑化パネルにおいて、
上記土壌保持材を上記保水マット側に押え付ける押えネットを備えることを特徴とする壁面緑化パネル。
【請求項３】
請求項１または２に記載の壁面緑化パネルにおいて、
上記壁面と上記保水マットとの間に不透水膜を配置したことを特徴とする壁面緑化パネル。
【請求項４】
請求項１乃至３のいずれか１つに記載の壁面緑化パネルを壁面に設置する工程と、
上記壁面に設置された上記壁面緑化パネルにおける上記土壌保持材に向けて緑化用の土壌を吹き付ける工程と
を有することを特徴とする緑化基盤の形成方法。
【発明の詳細な説明】
【０００１】
【発明の属する技術分野】
本発明は、壁面緑化パネルと、その壁面緑化パネルを用いた緑化基盤の形成方法に関する。
【０００２】
【従来の技術】
従来、この種の壁面緑化パネルとして、例えば図５に示すようなものが知られている（特開平９−９７８７号公報）。この壁面緑化パネルは、図示しない壁面に接してＨ形鋼を矩形に組んで枠を立設し、この枠に上下面に複数の通水孔をもつ鋼製の支持桁３１を複数段重ねて水平に取り付け、各支持桁３１に、直方体状の複数個の植栽容器３２，３２・・・を並べて収容している。
【０００３】
上記植栽容器３２は、通水孔をもつ横板で内部が３段に仕切られ、上面,両側面,下面に夫々通水孔３３ａをもち、上面が水受けになった箱体３３を、３つの植栽孔３４ａとそれらの周りの複数通気孔３４ｂとをもつ２つ割りの蓋３４，３４で覆ってなる。
【０００４】
上記構造の植栽容器３２において、３段に仕切られた内部に土壌を充填して、この土壌に緑化用の植物を植え付ける。そして、上記土壌を充填して植物が植え付けられた複数個の植栽容器３２，３２・・・を上記支持桁３１に配置して、最上段の支持桁３１の上面の複数給水孔３１ａを経て供給した水を、上記各通水孔を経て下方の植栽容器に順次流下させ、上記植栽容器３２，３２・・・に給水して上記植物を成長させる。このようにして、緑化基盤を形成している。
【０００５】
【発明が解決しようとする課題】
ところが、上記従来の壁面緑化パネルは、上記複数の植栽容器３２，３２・・・において、３段に仕切られた内部に夫々土壌を充填して、緑化用の植物を植え付けるので、緑化基盤を形成する手間がかかるという問題がある。
【０００６】
また、上記複数個の植栽容器３２，３２・・・内に土壌を充填し、最上段の植栽容器から水を流下させて土壌に給水しているので、上記土壌は保水力が小さくて水が流れ落ち易いから、上記土壌が水不足になって植物が枯れたり、流下する水と共に土壌が流失したり、上記植栽容器３２，３２・・・を支持する上記枠の下方の壁面が、流れ落ちる水や土壌で汚れたりするという問題がある。このような問題は、建物外壁や高速道路側壁のように、鉛直な壁面に壁面緑化パネルを設ける場合に顕著である。
【０００７】
そこで、本発明の目的は、緑化基盤を形成し易く、緑化基盤を形成した壁面の潅水による汚れが生じなく、さらに、鉛直の壁面に緑化基盤が形成でき、保水力が大きい壁面緑化パネルを提供することにある。
【０００８】
【課題を解決するための手段】
上記目的を達成するため、請求項１の発明の壁面緑化パネルは、
壁面に設置される保水マットと、
上記保水マットの裏面と上記壁面との間であって、上記保水マットの表面側に露出しない位置に配置されて、上記保水マットに水を供給する潅水管と、
上記保水マットの表面に配置されて、緑化用の土壌が吹き付けられる土壌保持材と
を備えることを特徴としている。
【０００９】
請求項１の発明によれば、上記壁面緑化パネルは、上記保水マットと、潅水管と、土壌保持材とからなり、緑化用の土壌が無くて比較的軽量であるので、壁面に容易に取り付けられる。この後に、上記壁面緑化パネルに緑化用の土壌を吹き付けて、上記土壌保持材に緑化用土壌を保持させるのみで、一度に大面積の緑化基盤が形成される。したがって、従来におけるような複数の植栽容器に夫々土壌を充填した後に、上記植栽容器を支持桁に配置する必要がないから、緑化基盤が容易に形成される。
【００１０】
また、上記潅水管は、保水マットの裏面と壁面との間であって、上記保水マットの表面側に露出しない位置に配置されているので、上記土壌保持材に吹き付けられる土壌が、潅水管に設けられた給水孔から潅水管内に侵入したり、上記給水孔に付着して給水孔の開口を狭めたりすることがない。したがって、上記緑化基盤は、緑化用の土壌が吹き付けられて容易に形成される上に、上記潅水管の詰まりなどの問題がなく、安定して給水される。
【００１１】
ここにおいて、上記潅水管が保水マットの表面側に露出しない位置とは、土壌を土壌保持材に吹き付けたときに、潅水管の給水孔から土壌が侵入したり、潅水管の給水孔の開口が土壌によって狭められたりしない位置をいう。
【００１２】
また、上記壁面緑化パネルに土壌を吹き付けて形成する緑化基盤において、上記潅水管から水が供給されると、まず、この水は上記保水マットに蓄えられる。次に、上記保水マットに水が供給されて、この保水マットを介して、保水マットの表面に配置されて緑化用土壌が所定厚さに吹き付けられた土壌保持材に、水が徐々に浸潤する。すなわち、上記保水マットには常に水が蓄えられていて、この蓄えられた水が、保水マットを介して、土壌保持材が保持する緑化用の土壌に徐々に供給される。これによって、上記緑化用の土壌には水が均一に徐々に供給されるので、この土壌の保水力が小さい場合であっても、従来におけるように土壌の部分が乾燥したり、潅水管から供給された水が土壌の間隙を通じて緑化基盤から流れ落ちたり、流れ落ちる水とともに土壌が流れたりし難い。したがって、上記緑化用土壌で生成する植物が枯れたり、上記土壌が流出して減少したり、この緑化パネルが配置された壁が泥水で汚れて美観を損なったりしない。
【００１３】
請求項２の発明の壁面緑化パネルは、
請求項１に記載の壁面緑化パネルにおいて、
上記土壌保持材を上記保水マット側に押え付ける押えネットを備える
ことを特徴としている。
【００１４】
請求項２の発明によれば、上記ネットによって、上記土壌保持材が保水マット側に押え付けられるので、上記土壌保持材によって保持される土壌は、上記壁面緑化パネルから脱落したり流出したりし難い。したがって、上記壁面緑化パネルによれば、緑化基盤が容易に形成でき、しかも、安定して壁面が緑化される。
【００１５】
請求項３の発明の壁面緑化パネルは、
請求項１または２に記載の壁面緑化パネルにおいて、
上記壁面と上記保水マットとの間に不透水膜を配置した
ことを特徴としている。
【００１６】
請求項３の発明によれば、上記壁面と上記保水マットとの間に不透水膜を配置したので、上記土壌保持材が保持する土壌に含まれる肥料や、上記土壌で生育される植物からの分泌物などが、この壁面緑化パネルが設置された壁面に達しない。したがって、上記壁面の侵食や劣化が防止される。
【００１７】
請求項４の発明の緑化基盤の形成方法は、
請求項１乃至３のいずれか１つに記載の壁面緑化パネルを壁面に設置する工程と、
上記壁面に設置された上記壁面緑化パネルにおける上記土壌保持材に向けて緑化用の土壌を吹き付ける工程と
を有することを特徴としている。
【００１８】
請求項４の発明によれば、上記壁面緑化パネルを壁面に設置し、上記壁面緑化パネルにおける上記土壌保持材に向けて、例えば植物の種子と腐葉土からなる土壌を吹き付けるのみで、緑化基盤が形成される。すなわち、土壌を含まなくて軽量な壁面緑化パネルを壁面に設置するので、この設置の作業は容易である。そして、上記土壌保持材に向けて緑化用の土壌を吹き付けるのみで、大面積の緑化基盤が、一度に容易に形成される。したがって、従来におけるような複数の植栽容器に土壌を充填し、この土壌を充填した植栽容器に植物を植え付けて支持桁に配置するよりも、はるかに容易に緑化基盤が形成できる。その結果、緑化基盤形成のための工程数と工期が短縮されるので、緑化基盤の施工費用が安価になる。
【００１９】
また、壁面緑化パネルの設置と土壌の配置とは異なる工程で行うので、例えば緑化基盤の配置環境に対応して土壌の種類を替えたり、あるいは、上記土壌として植物の種子と肥料とを混合して形成した土壌を使用したりできる。すなわち、上記吹き付ける土壌を変更することによって、１種類の壁面緑化パネルを用いて多くの種類の緑化基盤を形成することができて、緑化基盤を形成する際の自由度が増す。
【００２０】
また、上記緑化基盤の土壌が、万一欠損した場合でも、その欠損部分に土壌を吹き付けるのみで緑化基盤が容易に補修される。
【００２１】
【発明の実施の形態】
以下、本発明を図示の実施の形態により詳細に説明する。
【００２２】
図１（ａ）は、壁面緑化パネルの１実施の形態を示す平面図である。この壁面緑化パネルは、表面が略鉛直に延びるコンクリート壁Ｗに設けられている。図１（ｂ）は、図１（ａ）に示した領域Ａの拡大平面図であり、図２は、図１（ｂ）における縦方向の断面図である。
【００２３】
この壁面緑化パネルは、コンクリート壁Ｗ表面に、潅水管２，２，２を略水平方向に取り付けていて、この潅水管２，２，２に水を導くホース３と、このホース３を介して上記潅水管２，２，２に水を供給する潅水装置５を備える。なお、上記潅水管２，２，２はコンクリート壁Ｗ表面に水平方向に３個取り付けたが、潅水管は、給水すべき水の量に対応して１個や２個、あるいは４個以上取り付けてもよい。上記潅水装置５は、季節およびこの壁面緑化パネルに植える植物に応じて、上記潅水管２，２，２に供給する水の量や時刻が設定可能になっている。上記潅水管２は、図１（ｂ）および図２に示すように、導かれた水を排出する複数の点滴孔２ａ，２ａ・・・を有する。
【００２４】
上記潅水管２，２，２を覆うように、上記コンクリート壁Ｗの緑化すべき位置に、保水マット７を配置している。この保水マット７の表面に、土壌保持材としての不織保持マット８を配置している。この不織保持マットは、ナイロンからなる線状体を、ヘチマの繊維状に、しかも、ヘチマの繊維よりもさらに大きい空隙を有するように、疎かつ不規則に絡ませて、所定の厚さに形成している。上記不織保持マット８の空隙は、土壌が吹き付けられて、この土壌が不織保持マット８に適切に保持される位置にまで入り込める大きさに形成している。上記不織保持マット８の表面には、押え網としてのラス網１０を配置して、このラス網１０を、一端が上記コンクリート壁Ｗに埋設されたアンカーボルト１１の他端に固定している。上記ラス網１０によって、不織保持マット８を保水マット７側に押し付けている。
【００２５】
ここにおいて、上記潅水管２は、コンクリート壁Ｗと保水マット７との間に挟持されていても、保水マット７に包まれていても、また、一部がコンクリート壁Ｗ側に保水マット７から露出していてもよい。要は、上記不織保持マット８に吹き付けられる土壌が、潅水管２に設けられた点滴孔２ａから潅水管２内部に侵入したり、上記点滴孔２ａに付着して点滴孔２ａの開口を狭めたりしないようになっていればよい。さらに、潅水管２からの水が、不織保持マット８側に直接供給されないで、まず、保水マット７に供給されて蓄えられた後、上記不織保持マット８側に浸潤するようになっていればよい。
【００２６】
上記構成の壁面緑化パネルに、以下のようにして緑化基盤を形成する。すなわち、上記コンクリート壁Ｗに配置された壁面緑化パネルの表面の不織保持マット８に向けて、植物の種子と腐葉土からなる土壌１３を、圧縮空気などを用いて、図３に示すように吹き付ける。これによって、上記土壌１３が、上記不織保持マット８の比較的疎に絡まったナイロン線状体の隙間に入り込むと共に、上記ナイロン線状体に絡まって付着する。その結果、上記土壌１３は、上記壁面緑化パネルが略鉛直のコンクリート壁Ｗに配置されているにも拘らず、不織保持マット８に効果的に固定される。このようにして、上記コンクリート壁Ｗに配置された壁面緑化パネルに、緑化基盤を形成する。なお、上記土壌１３に、不織保持マット８に強固に固定されるように、増粘材や接着剤を含ませてもよい。また、上記土壌１３は肥料を含んでいてもよく、あるいは、種子を含んでいなくてもよい。
【００２７】
以上のようにして緑化基盤が形成された壁面緑化パネルは、以下のように動作する。上記潅水装置５に予め設定された時刻になると、予め設定された所定の量の水が、ホース３を介して上記潅水管２，２，２に供給される。この水の量は、緑化基盤の配置場所や季節に対応した水の蒸発量、保水マットの保水力、植物の種類に対応した水の必要量などに基づいて定められている。潅水管２，２，２に導かれた水は、潅水管２の複数の点滴孔２ａ，２ａ・・・から排出されて保水マット７に供給される。この水は、保水マット７の略全体に略均一に広がって、この保水マット７に蓄えられる。この保水マット７に蓄えられた水が、上記不織保持マット８に保持された土壌１３、すなわち緑化基盤に吸収される。その結果、上記土壌１３の種子が発芽・育成して、図４に示すように、芝生などの植物１５が緑化基盤に生成する。
【００２８】
このように、上記壁面緑化パネルを用いた緑化基盤は、上記潅水管２を介して保水マット７に水を蓄えて、この蓄えた水を、不織保持マット８が保持する土壌１３に徐々に供給するので、略鉛直のコンクリート壁Ｗ表面に設置されているにも拘らず、土壌１３に水を均一に徐々に供給できる。したがって、上記土壌１３の保水力が小さい場合であっても、従来におけるように土壌の部分が乾燥したり、潅水管から供給された水が緑化基盤から流れ落ちたり、流れ落ちる水とともに土壌が流れたりしない。したがって、上記土壌１３の植物１５を枯らすことなく育成でき、土壌１３を流出させることなく保持でき、また、緑化基盤が形成された壁の美観を保つことができる。また、上記保水マット７に供給される水は、上記潅水装置５によって所定の量に調節されるので、上記保水マット７の保水力や、緑化基盤が形成された場所の環境などに対応して、土壌１３の乾燥や緑化基盤からの水などの流出を効果的に防止できる。
【００２９】
また、上記壁面緑化パネルは、上記コンクリート壁Ｗに取り付ける際、土壌１３を含まなくて比較的軽量であるので、上記壁Ｗに容易に取り付けられる。この後、上記不織保持マット８に、土壌１３を吹き付けて保持させるのみで、緑化基盤が一度に容易に形成できる。したがって、従来よりも容易に緑化基盤が形成できるので、緑化基盤形成のための工程数と工期が短縮できて、緑化基盤の施工費用を安価にできる。
【００３０】
また、上記潅水管２は、保水マット７に覆われていて、保水マット７の表面側に露出しない位置に配置されているので、上記不織保持マット８に吹き付けられる土壌１３が、潅水管２に設けられた点滴孔２ａから潅水管２内に侵入したり、上記点滴孔２ａに付着して点滴孔２ａの開口を狭めたりしない。したがって、上記潅水管２は、詰まりなどの問題がなく、安定して上記緑化基盤に給水できる。
【００３１】
また、壁面緑化パネルの設置と土壌１３の吹き付けとは異なる工程で行うので、１種類の壁面緑化パネルを用いて多くの種類の緑化基盤を形成することができるから、高い自由度で緑化基盤を形成することができる。
【００３２】
また、上記緑化基盤の土壌が万一欠損した場合でも、その欠損部分に土壌を吹き付けるのみで、緑化基盤を容易に補修することができる。
【００３３】
上記実施形態において、上記コンクリート壁Ｗと保水マット７との間に、不透水膜を配置してもよい。この不透水膜によって保水マット７側から上記コンクリート壁Ｗへの水を遮断して、土壌１３に含まれる肥料や植物からの分泌物によって、上記コンクリート壁Ｗが侵食されたり劣化することが防止できる。
【００３４】
また、コンクリート壁Ｗの表面に、潅水管２を直接取り付けて、この潅水管２を覆うように保水マット７を配置したが、潅水管２は、保水マット７に水が供給可能であれば、保水マット７と不織保持マット８との間に配置しても、保水マット７中に内蔵してもよい。このとき、上記潅水管２は上記不織保持マット８の表面側に露出しない位置に配置するようにすることが肝要である。これによって、上記不織保持マット８への土壌１３の吹き付け時に、この土壌１３による潅水管２の点滴孔２ａの目詰まりや、土壌１３の潅水管２中への侵入を防止できる。また、上記潅水管２からの水を、上記土壌１３に直接供給しないで、保水マット７に一旦蓄えた後に、この保水マット７を介して均一かつ徐々に土壌１３に供給することができる。
【００３５】
また、上記実施形態において、土壌保持材としてナイロン線状体からなる不織保持マット８を用いたが、金属材料からなる繊維や針金などを絡ませたマット状のもの、あるいは凹凸を有する樹脂、金属などで形成されて土壌を保持する機能を有する他のものを用いてもよい。上記土壌保持材として金属材料からなるものを用いた場合、水や、土壌に含まれる肥料、あるいは植物の分泌物によって腐食し難い材料を選んだり、防錆および防食加工を施す必要がある。
【００３６】
また、上記不織保持マット８に、植物の種子と腐葉土からなる土壌１３を吹き付けたが、上記不織保持マット８に、腐葉土のみからなる土壌を吹き付けて、その後に、別個に種や苗を上記土壌に植えてもよい。
【００３７】
また、上記実施形態において、コンクリート壁Ｗに１枚の壁面緑化パネルを設置して、この壁面緑化パネルに土壌１３を吹きつけたが、コンクリート壁に複数の壁面緑化パネルを設置した後、この複数の壁面緑化パネルに一度に土壌を吹きつけて大面積の緑化基盤を形成してもよい。これによって、大面積の緑化基盤を効率良く形成できる。
【００３８】
また、上記実施形態において、コンクリート壁Ｗの表面に潅水管２を配置した後、保水マット７と不織保持マット８とを各々配置して壁面緑化パネルを形成したが、予め潅水管２と保水マット７と不織保持マット８とを組立てて壁面緑化パネルを形成した後、この壁面緑化パネルをコンクリート壁Ｗに取り付けてもよい。この予め組立てた壁面緑化パネルは、当然、複数であってもよい。
【００３９】
また、上記保水マット７と不織保持マット８とをコンクリート壁Ｗに取り付けた後に、潅水管２を、上記保水マット７の表面側に露出しない位置に取り付けてもよい。
【００４０】
また、上記保水マット７および不織保持マット８とを、ラス網１０およびアンカーボルト１１によってコンクリート壁Ｗに固定したが、ラス網１０以外のネットを用いてもよく、また、アンカーボルト１１以外の固定手段を用いてもよい。
【００４１】
また、上記壁面緑化パネルは略鉛直のコンクリート壁Ｗの表面に配置したが、所定の角度を有する壁面に配置してもよい。また、コンクリート壁面以外の樹脂製パネルなどに設置してもよい。
【００４２】
【発明の効果】
以上より明らかなように、請求項１の発明の壁面緑化パネルによれば、保水マットと、上記保水マットに水を供給する潅水管と、上記保水マットの表面に配置された土壌保持材とを備えるので、比較的軽量な壁面緑化パネルを壁面に容易に取り付けることができ、しかも、上記壁面緑化パネルに緑化用の土壌を吹き付けて土壌保持材に緑化用土壌を保持させるのみで、一度に大面積の緑化基盤を形成できるので、従来よりも緑化基盤を容易に形成できる。
【００４３】
また、上記潅水管は、保水マットの表面側に露出しない位置に配置されているので、上記土壌保持材に吹き付けられる土壌が、潅水管に設けられた給水孔から潅水管内に侵入したり、上記給水孔に付着して給水孔の開口を狭めたりすることを防止できるから、上記壁面緑化パネルに緑化用の土壌を吹き付けて容易に緑化基盤を形成できる上に、土壌の吹き付けによる潅水管の詰まりなどの問題を防止して、上記土壌に安定して給水可能な壁面緑化パネルにできる。
【００４４】
また、上記潅水管は、上記保水マットの裏面と壁面との間であって、上記保水マットの表面側に露出しない位置に配置されているので、この潅水管によって保水マットに常に水を蓄えて、この蓄えた水を土壌保持材の土壌に徐々に均一に供給できる。したがって、土壌の部分が乾燥したり、潅水管から供給された水が土壌の間隙を通じて緑化基盤から流れ落ちたり、流れ落ちる水とともに土壌が流れたりすることを防止できる。その結果、上記土壌で生成する植物の枯れや、上記土壌の減少や、この緑化パネルを配置した壁面の汚染を防止できる。
【００４５】
請求項２の発明の壁面緑化パネルによれば、上記土壌保持材を上記保水マット側に押え付ける押えネットを備えるので、上記土壌保持材によって保持される土壌が、上記壁面緑化パネルから脱落したり流出したりするのを防止できるから、緑化基盤を容易に形成できて、しかも、安定して壁面を緑化できる。
【００４６】
請求項３の発明の壁面緑化パネルによれば、上記壁面と上記保水マットとの間に不透水膜を配置したので、上記土壌保持材が保持する土壌に含まれる肥料や、上記土壌で生育される植物からの分泌物などが、この壁面緑化パネルが設置された壁面に達することが防止できるから、上記壁面の侵食や劣化を防止できる。
【００４７】
請求項４の発明の緑化基盤の形成方法は、請求項１乃至３のいずれか１つに記載の壁面緑化パネルを壁面に設置する工程と、上記壁面に設置された上記壁面緑化パネルにおける上記土壌保持材に向けて土壌を吹き付ける工程とを有するので、土壌を含まなくて軽量な壁面緑化パネルを壁面に設置すればよいから、壁面緑化パネルの設置作業を容易にでき、しかも、土壌を土壌保持材に向けて吹き付けるのみで、大面積の緑化基盤が一度に容易に形成できる。その結果、従来よりもはるかに容易に緑化基盤を形成できるので、緑化基盤形成のための工程数と工期を短縮できて、緑化基盤の施工費用を安価にできる。
【００４８】
また、壁面緑化パネルの設置と土壌の配置とを異なる工程で行うので、１種類の壁面緑化パネルを用いて多くの種類の緑化基盤を形成することができるから、高い自由度で緑化基盤を形成することができる。
【００４９】
また、上記緑化基盤の土壌が万一欠損した場合でも、その欠損部分に土壌を吹き付けるのみで緑化基盤を容易に補修できる。
【図面の簡単な説明】
【図１】  図１（ａ）は、壁面緑化パネルの１実施の形態を示す平面図であり、図１（ｂ）は、図１（ａ）に示した領域Ａの拡大平面図である。
【図２】  図１（ｂ）における縦方向の断面図である。
【図３】  壁面緑化パネルの表面の不織保持マット８に向けて、植物の種子と腐葉土からなる土壌１３を吹き付ける様子を示した図である。
【図４】  緑化基盤に芝生などの植物１５が生成した様子を示す図である。
【図５】  従来の壁面緑化パネルを示す図である。
【符号の説明】
２  潅水管
３  ホース
５  潅水装置
７  保水マット
８  不織保持マット
１０  ラス網
１１  アンカーボルト
１３  土壌
Ｗ  コンクリート壁
【図１】
0004587579.tif 000002
【図２】
0004587579.tif 000003
【図３】
0004587579.tif 000004
【図４】
0004587579.tif 000005
【図５】
0004587579.tif 000006